(57)【要約】      （修正有）【課題】使用者が吊り下げ名札ケースに収納したＩＤカードを取り出すことなく、左右いずれの手を使ってもカードをスムースにカードリーダに通入することができるカードケースを提供する。  【解決手段】フレーム１全体を左右両側の枢着部７，８を介して上半部２と下半部３とに分設し、前記下半部は左右両側部間に設けた後側板５と前側中間突片６とによって係合部４を形成し、前記上半部が前記枢着部を介して前後方向に自在に回動し得るように成るものである。【選択図】図２
0003118000.tif 000002
【実用新案登録請求の範囲】
【請求項１】
フレーム全体を左右両側の枢着部を介して上半部と下半部とに分設し、前記下半部は左右両側部間に設けた後側板と前側中間突片とによって係合部を形成し、前記上半部が前記枢着部を介して前後方向に自在に回動し得るように成ることを特徴とするＩＤカードケース。
【請求項２】
フレーム上半部の上側中央内部に係止部を設けて成る請求項１に記載したＩＤカードケース。
【考案の詳細な説明】
【技術分野】
【０００１】
本考案は、磁気データを具備したＩＤカードを、ケースに装着したまま磁気データ部を露出させてカードリーダに通入するＩＤカードケースに関するものである。
【背景技術】
【０００２】
近年、企業や官庁等における安全意識の高揚につれて、名札にセキュリティ管理機能をもたせたＩＤカードや顔写真入りの本人識別機能を有する名札のニーズが高まっていることから、身分証明書のＩＤ機能やセキュリティ機能など複数の機能を有するカードの実用化がすすみ、用途と必要に応じて、エンボス部、署名部、光記録部、磁気ストライブ部、顔写真部などが複合的に設けられ、それぞれの目的により使用されているところ、特に顔写真を入れた身分証明書と磁気ストライブや光記録部を兼用した吊り下げ名札ケースに収納したＩＤカードに関し、ケースから取り出すことなくカードリーダにカードを通入することができるカードケースが求められている。
【０００３】
そこで、例えば次に示す商品カタログには同じ目的のものが見られる。
【０００４】
【非特許文献１】「アスクルカタログ２００５秋・冬号」，アスクル株式会社，２００５年８月２５日，第１３巻，第２号，p.３６２
【考案の開示】
【考案が解決しようとする課題】
【０００５】
しかし、これは磁気ストライブの挿入方向が矢印の方向に定まっているため、ＩＤカードの右側から左側への矢印方向にしたがうと、左手での通入操作は簡単でも、右利きの人の場合は右手での操作は不自然な動作をしなければならないから、利便性が欠けるものであり、使用者側の立場に立った構造のものではなかったのである。
【０００６】
そこで、本考案は、使用者が吊り下げ名札ケースに収納したＩＤカードを取り出すことなく、左右いずれの手を使ってもワンタッチでスムースにカードリーダに通入することができるカードケースを提供することを目的とするものである。
【課題を解決するための手段】
【０００７】
本考案は、フレーム全体を左右両側の枢着部を介して上半部と下半部とに分設し、前記下半部は左右両側部間に設けた後側板と前側中間突片とによって係合部を形成し、前記上半部が前記枢着部を介して前後方向に自在に回動し得るように成るものである。
【考案の効果】
【０００８】
第１に、多機能のＩＤカードを身体につけたままでカードケースから取り出すことなく、直立係止しているフレームの上半部を前方又は後方の任意の方向に倒伏するだけで、そのままカードリーダのスリットに通入通過させることを簡単かつ確実に行うことができるから、利便性が高いものとなる。
【０００９】
第２に、使用にあたっては、右手の操作ではフレームの上半部を前方に回動倒伏しておき、左手の操作ではフレームの上半部を後方に回動倒伏しておけばよいから、カード上の磁気ストライブが全面的に開放されたことにより、スムースにカードリーダのスリットに通入することができ、その取扱いはきわめて簡単である。
【考案を実施するための最良の形態】
【００１０】
いま入室するためにカードリーダにＩＤカードを通入するときは、フレームの上半部を左右の枢着部を介して前方又は後方に回動すると、上半部は９０°以上１８０°近くまで全倒し、フレームの上部分は完全な開放状態になるから、そこに位置しているＩＤカードの磁気ストライブが露出するようになる。したがって、このような状態においてはカードをワンタッチで右手又は左手でフレームの下半部に保持された状態のままで、カードリーダに通入通過するようにする。
【００１１】
したがって、このような状態においては右利きの者は、下半部の前面部を親指で、後面部を人指し指と中指で掴んで後方（自分の体方向）に倒すとＩＤカードの磁気ストライブが露出するから、また左利きの者は、逆に下半部の前面部を人指し指と中指で、後面部を親指で掴んで前方（自分の体と反対方向）に倒すとＩＤカードの磁気ストライブが露出するから、いずれもワンタッチの片手動作で持ち替えることなくＩＤカードをフレームの下半部に係合保持された状態のままでカードリーダーに通入通過するようにする。
【００１２】
ＩＤカードの使用後は、再び上半部を垂直に立ち上げれば、上半部中央の突爪がカードに接して係止するようになるとともに、カードの下半部は係合部内に保持されることになる。
【実施例】
【００１３】
１は全体がカードａを収納する形状と大きさから成るフレームで、このフレームはその左右両側部の中間部において二分する上半部２と下半部３とから構成される。
【００１４】
４は前記フレーム１の下半部３に左右両側部にかけて設けた係合部で、この係合部は後側板５と前側方の中間突片６との間に形成するように成る。
【００１５】
この後側板５と中間突片６とから成る係合部４には、カードａの下側部分が係合するようになる。
【００１６】
７，７は前記下半部３の左右上端部に設けた雌部で、この雌部には前記上半部２の左右下端部に設けた雄部８，８が前後両方向に回動自在に枢着するように成る。
【００１７】
９は前記フレーム１の上半部２の内縁部に設けた補強部で、カードａの下側部分を前記下半部３の係合部４に係合したとき、カードの上側部分は前記上半部２の補強部９の上側中央内部に設けた係止部１０によってＩＤカードの上端部分を係止するようにする。
【００１８】
１１は前記上半部の上側中央に設けた紐取付部である。
【図面の簡単な説明】
【００１９】
【図１】一方向から見た全体図
【図２】他方向から見た使用時の全体図
【図３】全体の正面図
【図４】図３Ａ−Ａ線の断面図
【図５】一使用時の状態図
【符号の説明】
【００２０】
１                    フレーム
２                    上半部
３                    下半部
４                    係合部
５                    後側板
６                    前側中間突片
７，７                雌部
８，８                雄部
９                    補強部
１０                  係止部
１１                  紐取付部
【図１】
0003118000.tif 000003
【図２】
0003118000.tif 000004
【図３】
0003118000.tif 000005
【図４】
0003118000.tif 000006
【図５】
0003118000.tif 000007